(57)【要約】【課題】腰掛式便器の便器本体と便座との隙間からの汚水の漏れを防止できる汚水漏れ防止具を提供する。 【解決手段】腰掛式便器の便器本体と便座との隙間からの汚水の漏れを防止する汚水漏れ防止具であって、前記汚水漏れ防止具は、汚水を受ける帯状の汚水受け部および前記汚水受け部を便器本体に着脱可能に取り付ける装着部よりなり、前記汚水受け部と前記便器本体との間に汚水排出用の間隙部を形成することを特徴とする。  【選択図】  図３
2011234767.tif 000002
【特許請求の範囲】
【請求項１】
腰掛式便器の便器本体と便座との隙間からの汚水の漏れを防止する汚水漏れ防止具であって、前記汚水漏れ防止具は、汚水を受ける帯状の汚水受け部および前記汚水受け部を前記便器本体に着脱可能に取り付ける装着部よりなり、前記汚水受け部と前記便器本体との間に汚水排出用の間隙部を形成することを特徴とする汚水漏れ防止具。
【請求項２】
前記便座を前記便器本体に載置した状態において、前記汚水受け部の上端は、平面視で前記便座外周縁より内側に位置し、かつ、側面視で前記便器本体上端の高さより上側に位置しており、前記汚水受け部の下端は、平面視で前記便器本体内周縁より内側に位置し、かつ、側面視で前記便器本体上端の高さより下側に位置することを特徴とする請求項１に記載の汚水漏れ防止具。
【請求項３】
前記汚水受け部は柔軟性を有することを特徴とする請求項２に記載の汚水漏れ防止具。
【請求項４】
前記装着部の一部または全部に線状の金属材料を用いることを特徴とする請求項２又は３に記載の汚水漏れ防止具。
【発明の詳細な説明】
【技術分野】
【０００１】
本発明は、腰掛式便器使用に際する、便器本体と便座との隙間からの汚水漏れの予防に関するものである。
【背景技術】
【０００２】
一般に、腰掛式便器は、便器本体と、その便器本体の後端近くに回動可能に取り付けられた便座とを備えている。腰掛式便器は、現在もっとも普及している便器であり、その使用方法は、座位での使用と立位での使用とがある。このうち、立位使用は男性の排尿に用いられるものの、近年では男性で座位使用を習慣とする人も増えており、また、高齢化や下肢等の障害に伴い立位使用が困難になる場合も少なくないため、腰掛式便器の全般的な使用頻度としては、座位使用が多いといえる。
【０００３】
しかし、便器本体と便座との間には、便座裏面に取り付けられた脚部によってできる隙間があり、座位での腰掛式便器使用時に排泄した尿が漏れることがある。また、人体局部洗浄機能をもつ腰掛式便器を使用した場合、その人体局部洗浄水が前記隙間から漏れることもある。
ここで、以下、腰掛式便器の便器本体と便座との隙間から漏れる尿や人体局部洗浄水を簡略に汚水と表現する。
【０００４】
前記のような汚水漏れの問題を解決する方法として、腰掛式便器の形状を工夫する提案もなされているが、既設の腰掛式便器を変更することは費用や手間がかかる。そこで、汚水漏れを防止する部材を腰掛式便器に取り付ける提案がなされている。
【０００５】
特許文献１は、弾性を有する帯板とフィン部とからなる便器用飛散防止材を、便器のリム上縁に前記フィン部を重ねるだけで着脱可能に設けることができるとされる。特許文献２では、便座裏面に隙間をカバーする部材を前後方向に位置変更可能に設けている。特許文献３は、便座の上面に重ねるのみで装着できる便座の被装体が、便座の内縁に沿って垂下する壁部を有していることにより、汚水の飛散を防止できる。特許文献４は、隙間を埋める厚さにした略U字型の吸水シートを便器に接着するものであり、使用後はトイレに流すことができる。
【先行技術文献】
【特許文献】
【０００６】
【特許文献１】特開２００３−１４７８２９号公報
【特許文献２】特開２００６−２３０８８８号公報
【特許文献３】特開２００２−５０６号公報
【特許文献４】特開２００８−２２９３０１号公報
【発明の概要】
【発明が解決しようとする課題】
【０００７】
しかし、特許文献１は、部材の弾性によって、隙間を塞ぐよう部材が密着することで効果を発揮するものであるため、例えば、特定の便器本体および便座に合わせて部材が提供される場合は適合すると考えられるが、既存の便器本体と便座との隙間に適した部材を判断する必要がある場合は、サイズの違いで部材が密着せずに本来の効果を発揮できない恐れがある。特に、便座下面の形状が凹状の場合は、どの部分に部材が当たるかによっても、必要な部材の大きさや形状は異なると考えられ、判断が難しい。部材が密着しない部分が存在すると、便器本体外側面への伝い漏れにつながり、不都合である。また、設置に関しては、便器本体上面に載せるフィン部は平面状であり、清掃や設置時に部材の位置がずれると、容易に便器本体開口部内に落とす恐れがある。
【０００８】
特許文献２は、便器本体と便座との形状があっていない場合にも対応するとされるが、部材を便座に固定して設けるため、例えば賃貸住宅等では利用しがたく、清掃も行いにくい。また、便座に取り付ける形式は、立位排尿や清掃で便座を起立させた際に、汚水が垂れる心配がある。
【０００９】
特許文献３の便器の被装体は、便器本体および便座の形状には影響されにくいと考えられるが、同じ便器を立位使用する人がいる場合は、便器の被装体を外す必要があり、置き場所等考慮すると、やや煩雑である。また、便座上面に重ねる形式は、暖房機能付き便座の機能を十分に生かせない恐れがあり、また、多くの一般家庭で、インテリアや使用感等の好みに応じた便座カバーを用いている現状にはそぐわないものである。
【００１０】
特許文献４は、例えば幼児や認知症のある高齢者等、実際に便器を汚すことの多い使用者が自分で吸水シートを交換することは困難と考えられるため、別の人が気づいて清掃するまでは、吸水シートに汚水が蓄積してしまいがちであり、かえって不衛生となる恐れもある。また、立位使用する人が便座を起立させた際、吸水シートに汚水が蓄積していた場合は不快感につながる。
【００１１】
ここで、汚水漏れの起こる要因および汚水漏れ防止に取り組む意義について取り上げる。
腰掛式便器での座位排泄に伴って尿が便器本体と便座との隙間から漏れる場合、尿が隙間から直接飛び散る場合と、隙間付近の便器本体や便座裏面にあたった尿が伝い漏れする場合とがあり、筆者の経験する範囲では、便器本体内周縁から内側面にあたった尿が便器本体外側面に伝い漏れすることが頻度としては多い。しかし、インターネット上の困りごと相談等のサイトには、幼児や高齢者のいる家庭において、直接尿が飛び散る場合の頻度や量が多く、悩んでいる声も少なからず見受けられる。
【００１２】
尿が隙間から漏れるのは、排尿時の尿道の向きや位置の影響が大きいと考えられ、一般的には、まず使用方法の工夫で対処しようと試みる。例えば、男性の場合は陰茎を下向きにして排尿すること、女性の場合は便座後方に深く腰掛け、姿勢よく、あるいはやや前傾姿勢で排尿すること等があげられ、これらを実行することによって汚水漏れが減ることは、日常生活で実感できることである。
【００１３】
しかし、上述した幼児や高齢者において、そのような注意点を実行し難い場合は、汚水漏れが続きやすいと考えられる。また、身体の障害等によって適切な姿勢を取りにくい場合や、高次脳機能障害等によって、座る位置の認知や、適切な注意を払うことが困難な場合もある。特に障害がなくても、体調の変化等によって、汚水漏れを起こす事態は誰にでも起こりうるものである。
また、排泄は生涯欠かせないものであり、かつ頻度の高い行為である。汚水漏れを起こした使用者が注意や叱責を受ける例は多いと考えられるが、排泄は人間の尊厳に関わるといわれており、精神的負担は非常に大きい。
【００１４】
さらに、汚水漏れは清掃を担当する人の負担を増すものである。例えば、認知症介護等に伴って清掃頻度が極端に多い場合は、介護者を心身ともに疲弊させる深刻な問題であり、被介護者の排泄自立支援の妨げとなりかねない。また、汚水によって便器周辺の床面が濡れて滑りやすくなった場合は、転倒事故の誘因になる。例えば、座位からの起立や歩行に障害を有する人や高齢者等、もともと転倒の可能性が高い人にとっては非常に危険である。
【００１５】
このような事情を考慮すると、座る位置や姿勢が多少違う程度で汚水漏れがおこるような構造になっていること自体が問題であり、早急に改善できるよう、簡便な方法で解決できることが求められる。また、腰掛式便器を快適に使用することを妨げることなく、利用できることが望ましい。
【００１６】
本発明では、便器本体と便座との隙間から汚水が漏れることを防止する汚水漏れ防止具を、簡便に着脱可能で、便器本体および便座および便座カバーの機能や形状、使用感に影響することなく使用可能な汚水漏れ防止具を提供することを目的とする。
【課題を解決するための手段】
【００１７】
前述の課題を解決するために、次のような汚水漏れ防止具を発明した。
請求項１の汚水漏れ防止具においては、腰掛式便器の便器本体と便座との隙間からの汚水の漏れを防止する汚水漏れ防止具であって、前記汚水漏れ防止具は、汚水を受ける帯状の汚水受け部および前記汚水受け部を前記便器本体に着脱可能に取り付ける装着部よりなり、前記汚水受け部と前記便器本体との間に汚水排出用の間隙部を形成することを特徴とする汚水漏れ防止具である。
【００１８】
請求項２の汚水漏れ防止具においては、前記便座を前記便器本体に載置した状態において、前記汚水受け部の上端は、平面視で前記便座外周縁より内側に位置し、かつ、側面視で前記便器本体上端の高さより上側に位置しており、前記汚水受け部の下端は、平面視で前記便器本体内周縁より内側に位置し、かつ、側面視で前記便器本体上端の高さより下側に位置することを特徴とする請求項１に記載の汚水漏れ防止具である。
【００１９】
請求項３の汚水漏れ防止具においては、前記汚水受け部は柔軟性を有することを特徴とする請求項２に記載の汚水漏れ防止具である。
【００２０】
請求項４の汚水漏れ防止具においては、前記装着部の一部または全部に線状の金属材料を用いることを特徴とする請求項２又は３に記載の汚水漏れ防止具である。
【発明の効果】
【００２１】
請求項１の汚水漏れ防止具においては、腰掛式便器の便器本体と便座との隙間からの汚水の漏れを防止する汚水漏れ防止具であって、前記汚水漏れ防止具は、汚水を受ける帯状の汚水受け部および前記汚水受け部を前記便器本体に着脱可能に取り付ける装着部よりなることにより、汚水は前記汚水受け部にあたり、前記便器本体の開口部内へ流れ落ちるため、前記隙間からの汚水漏れを防止でき、汚水が前記汚水漏れ防止具に蓄積することもない。
【００２２】
同じく、前記汚水漏れ防止具は、汚水を受ける帯状の汚水受け部および前記汚水受け部を前記便器本体に着脱可能に取り付ける装着部よりなることにより、立位排尿や清掃の際に便座を起立させても汚水が垂れる心配はない。
【００２３】
同じく、前記汚水漏れ防止具は、汚水を受ける帯状の汚水受け部および前記汚水受け部を前記便器本体に着脱可能に取り付ける装着部よりなることにより、既存の腰掛式便器に設置可能であり、取り外して清掃することも容易である。
【００２４】
同じく、前記汚水漏れ防止具は、汚水を受ける帯状の汚水受け部および前記汚水受け部を前記便器本体に着脱可能に取り付ける装着部よりなることにより、暖房機能付き便座の機能を妨げることなく使用でき、便座カバーの使用にも影響しない。
【００２５】
前記汚水受け部と前記便器本体との間に汚水排出用の間隙部を形成することにより、汚水が前記汚水受け部の上端を超えて前記汚水受け部外側面に伝わった場合も、汚水は前記間隙部から前記便器本体開口部内に流れ落ちるため、前記便器本体と便座との隙間からの汚水漏れを防止できる。
【００２６】
同じく、前記汚水受け部と前記便器本体との間に汚水排出用の間隙部を形成することにより、前記汚水漏れ防止具を前記便器本体に取り付けたまま、立位排尿が可能であり、前記汚水受け部に尿があたった場合であっても、尿は前記間隙部から前記便器本体開口部内に流れ落ちるため、前記汚水漏れ防止具を設置したことによる前記便器本体外側面への伝い漏れが生じることはない。
【００２７】
請求項２の汚水漏れ防止具においては、前記便座を前記便器本体に載置した状態において、前記汚水受け部の上端は、平面視で前記便座外周縁より内側に位置し、かつ、側面視で前記便器本体上端の高さより上側に位置しており、前記汚水受け部の下端は、平面視で前記便器本体内周縁より内側に位置し、かつ、側面視で前記便器本体上端の高さより下側に位置することにより、前記汚水漏れ防止具を前記便器本体に取り付ける際の適応範囲は広く、作業が容易となり、かつ、汚水漏れを防止できる。
【００２８】
請求項３の汚水漏れ防止具においては、前記汚水受け部が柔軟性を有することにより、
前記便器本体および前記便座の形状に応じて前記汚水受け部を変形でき、多様な腰掛式便器に対応可能である。
【００２９】
同じく、前記汚水受け部が柔軟性を有することにより、前記汚水受け部の上端が前記便座裏面に接するように取り付ける場合、密着しやすく、汚水漏れを防止できる。
【００３０】
請求項４の汚水漏れ防止具においては、前記装着部の一部または全部を線状の金属材料で形成することにより、前記装着部は曲げることができ、かつ、曲げた形状を保持できるため、装着部を便器本体の形状にあわせて変形可能であり、安定して取り付けることができる。
【００３１】
同じく、前記装着部の一部または全部を線状の金属材料で形成することにより、前記装着部は曲げることができ、かつ、曲げた形状を保持できるため、前記装着部は、前記便器本体および便座の隙間に応じて、前記汚水受け部の傾きや位置を自在に変更でき、多様な腰掛式便器に対応可能である。
【図面の簡単な説明】
【００３２】
【図１】本発明による実施例１の形態を示す斜視図である。
【図２】図１において便座を起立させた状態を示す斜視図である。
【図３】図１Ａ−Ａ線における矢視断面図である。
【図４】図２における平面図である。
【図５】同実施例における応用例を示す図３相当図である。
【図６】本発明による実施例２の形態を示す斜視図である。
【図７】図６において便座を起立させた状態を示す斜視図である。
【図８】図６Ｂ−Ｂ線における矢視断面図である。
【図９】同実施例における変形例を示す図８相当図である。
【図１０】図９において便座を起立させた状態を示す平面図である。
【図１１】同実施例における変形例を示す図８相当図である。
【図１２】同実施例における変形例を示す図８相当図である。
【図１３】本発明による実施例３の形態を示す平面図である。
【図１４】同実施例の形態を、図１３Ｃ−Ｃ線において示す矢視断面図である。
【図１５】本発明によつ実施例４の汚水漏れ防止具を示す斜視図である。
【図１６】同実施例の応用例を示す斜視図である。
【図１７】本発明による実施例５の汚水漏れ防止具を示す斜視図である。
【図１８】同実施例の形態を、図１７Ｄ−Ｄ線において示す矢視断面図である。
【発明を実施するための形態】
【００３３】
本発明の実施の形態を図で説明する。
【実施例１】
【００３４】
本発明の第１の実施例の形態を図１〜図４により説明する。図１は、本発明の実施の形態を示す斜視図、図２は、図１において便座を起立させた状態を示す斜視図、図３は、図１Ａ−Ａ線における矢視断面図、図４は図２における平面図である。
【００３５】
腰掛式便器６は、便器本体３０とその便器本体３０の後端近くに回動可能に取り付けられた便座４０とを備えている。便座４０は略Ｏ型をなし、便座裏面４１は内周縁４２と外周縁４３の間が凹状をなす形状であり、その便座裏面４１に脚部４４が適当個数固定されている。便器本体３０と便座４０との間には、隙間７が存在している。
【００３６】
なお、図示した腰掛式便器６は例示したものであり、便器本体３０の形状が異なっていてもよいし、便座４０の形状が異なっていてもよく、人体局部洗浄機能や暖房機能等の設備を有する腰掛式便器であってもよい。また、室内に置いて使用する介護用ポータブルトイレであってもよい。
【００３７】
汚水漏れ防止具１は、汚水を受ける帯状の汚水受け部１０、およびその汚水受け部１０に連接する装着部２０とからなる。なお、図示した装着部２０の個数は例示したものであり、この個数に限定するものではない。
【００３８】
装着部２０は便器本体３０に着脱可能に取り付けるよう形成しており、便器本体３０の上端３２および内側面３３および外側面３４に沿う略コの字型をなす便器装着部２３、およびその便器装着部２３に連接し、細い棒状をなす連結部２１とからなり、その連結部２１は汚水受け部１０の下端１２の一部に連接している。
【００３９】
汚水受け部１０は帯状の部材を円弧状に曲げてなり、その上端１１付近には、汚水受け部１０の内側面１３が凹状となるよう形成したＣ型部１５を設けている。汚水受け部１０の上端１１は、平面視で便座４０の外周縁４３と内周縁４２の間に位置し、かつ、側面視で便座４０の内周縁４２の高さ以上に位置している。
【００４０】
汚水受け部１０の下端１２は、平面視で便器本体３０の内周縁３５より内側に位置し、かつ、側面視で便器本体３０の上端３２の高さより下側に位置している。また、汚水受け部１０と便器本体３０とは接しておらず、汚水排水用の間隙部２２を形成している。また、汚水漏れ防止具１は、全体に撥水加工および抗菌加工を施している。
【００４１】
なお、汚水受け部１０の形状は前記に限定するものではない。例えば、汚水受け部１０が便器本体内周縁３５の全周に及ぶ円形をなしていてもよいし、Ｃ型部１５がなくてもよく、内側面１３および外側面１４に凹凸状部を形成してもよい。
【００４２】
装着部２０の形状および構造は前記に限定するものではなく、装着部２０を便器本体３０に取り付ける方法が、別の方法でもよい。また、汚水漏れ防止具１は撥水加工および抗菌加工をしなくてもよく、防汚加工等の別の加工を施すことも特に限定しない。
【００４３】
素材について、汚水受け部１０のＣ型部１５はエラストマー樹脂とした。この他、シリコン等、柔軟性を有する材料が望ましい。前記Ｃ型部１５を除く汚水受け部１０および装着部２０はポリプロピレン樹脂とした。この他、シリコン、エラストマー樹脂等の樹脂材料、ステンレス等の金属材料等、特に限定しない。
【００４４】
サイズは、汚水受け部１０は  高さ２ｃｍ〜４ｃｍ程度、長さ３０ｃｍ〜５０ｃｍ程度、厚さ２ｍｍ〜５ｍｍ程度としたが、この例に限定するものではない。装着部２０は、連結部２１は直径５ｍｍ程度の円柱で長さ５ｍｍ〜１ｃｍ程度、便器装着部２３は、幅１ｃｍ〜３ｃｍ程度、便器本体内側面３３に接する部分の長さ１ｃｍ〜２ｃｍ程度、便器本体外側面３４に接する部分の長さ４ｃｍ〜６ｃｍ程度としたが、この例に限定するものではない。
【００４５】
以上の構成よりなる汚水漏れ防止具１は、汚水が便器本体３０と便座４０との間の隙間７の方向に飛んだ場合に、汚水は汚水受け部１０にあたり、隙間７から漏れることはない。汚水は汚水受け部１０の内側面１３を流れて便器開口部３１内へ流れ落ちるだけでなく、汚水受け部上端１１を超えるように伝わった汚水も、汚水受け部１０の外側面１４を流れ、汚水排水用の間隙部２２から便器開口部３１内へ流れ落ちることができる。
【００４６】
これにより、例示した便座４０のように、略Ｏ型をなし、便座裏面４１が凹状をなす形状の便座においては、汚水受け部上端１１が便座裏面４１に接していなくても、便座内周縁４２の高さ以上に位置していれば、便器本体３０と便座４０との隙間７からの汚水漏れは充分防ぐことができる。そのため、汚水漏れ防止具１は、便器本体３０と便座４０との隙間７の高さが多少違っていても適応しやすい。
【００４７】
また、後述する図５のように、汚水受け部上端１１を便座裏面４１に接するように位置させてもよいが、例えば汚水の勢いが強い場合や量が多い場合は、行き場を失った汚水が使用者側にあふれるように伝ってきたり、跳ね返りが増える恐れがある。図４に示すように、汚水受け部上端１１が便座裏面４１に接しない設置方法のほうが、汚水はスムーズに流れることができ、便座裏面４１への汚水付着も少なく、好ましい。便座裏面４１の形状が凹状である便座は、暖房機能等のない普通便座では比較的多くみられるタイプであるため、利便性が高い。
【００４８】
図５は、腰掛式便器６の便座４０の裏面４１が平面状である場合の設置例を示している。
汚水が隙間７に達しないよう、汚水受け部上端１１は便座裏面４１に接するように設置しており、本例においては、Ｃ型部１５が柔軟性を有する材料としたため、便座裏面４１に汚水受け部上端１１が接しやすく、汚水漏れを防止できる。
【００４９】
さらに、仮に便座裏面４１と汚水受け部上端１１との間が密着せずに隙間が生じた場合でも、汚水は汚水受け部外側面１４に伝わり、汚水排出用の間隙部２２から流れ落ちることができ、確実に汚水漏れを防止することができる。
【００５０】
腰掛式便器６を立位使用する場合については、汚水受け部１０は便器本体３０の内周縁３５のやや内側に位置しており、汚水受け部上端１１は便器本体上端３２の高さより数ｃｍ上側に位置する程度であるので、汚水漏れ防止具１を取り付けたままでも立位排尿の支障にはならない。立位排尿時に汚水漏れ防止具１に尿があたったとしても、尿は汚水排出用間隙部２２から便器開口部３１内へ流れ落ちることができ、便器本体外側面３４に伝い漏れすることはない。
【００５１】
このように、汚水は汚水漏れ防止具１によって、便器本体開口部３１内に流れ落ち、便器本体３０と便座４０との隙間７から汚水が漏れることはなく、汚水漏れ防止具１に汚水が蓄積することもない。汚水漏れ防止具１に汚水が付着していても、座位使用時は便座４０の下方に位置しているため、目立たず、不快感をおこしにくい。
【００５２】
また、汚水漏れ防止具１は便器本体３０に取り付けているため、便座４０を起立させた際に汚水が垂れる心配はない。また、便座４０が暖房機能付き便座であった場合でも、暖房機能に影響することはなく、また、便座カバーは従来通り好みのものを選ぶことができ、便座４０の上に載置するタイプの補高便座や子ども用補助便座を装着することの支障にもならない。
【００５３】
また、汚水漏れ防止具１は着脱可能であるため、はずして便器本体３０を清掃することや、汚水漏れ防止具１を丸洗いすることも可能であり、再度取り付けることも容易である。
【００５４】
このように、本実施例は、腰掛式便器６を快適に利用することを妨げずに、簡便に汚水漏れを防止できる。さらに、Ｃ型部１５を設けることにより、便器本体３０と便座４０との隙間７の高さの多少の違いには対応できるよう形成することも可能である。そのため、本実施例の具体的な用途としては、特定の便器本体３０に複数の便座４０、例えば、普通便座や暖房機能付き便座や局部洗浄機能付き便座等の複数の組み合わせが想定される場合に、それらの隙間７にあう汚水漏れ防止具１を製造販売する場合に適する。
【実施例２】
【００５５】
本発明の実施の形態を図６〜図８により説明する。なお、実施例１と共通する構成要素については同一符号を付し、その説明は省略する。
図６は、本発明による実施の形態を示す斜視図、図７は、便座を起立させた状態を示す斜視図、図８は、図６Ｂ−Ｂ線における矢視断面図である。
【００５６】
汚水漏れ防止具２は、便器本体３０に着脱可能に取り付けできる装着部１２０およびその装着部１２０に連接する汚水受け部１１０とからなる。
汚水受け部１１０は柔軟性を有する材料１１７よりなり、帯状の部材を円弧状に曲げてなり、その上端１１１付近には、汚水受け部１１０の内側面１１３が凹状となるよう形成したＣ型部１１５を設けている。また、汚水受け部１１０は、全体に撥水加工および抗菌加工を施している。
【００５７】
なお、汚水受け部１１０の形状は前記に限定するものではない。例えば、汚水受け部１１０が便器本体内周縁３５の全周に及ぶ円形をなしていてもよいし、Ｃ型部１１５がなくてもよく、内側面１１３および外側面１１４に凹凸状部を形成してもよい。撥水加工および抗菌加工をしなくてもよく、防汚加工等の別の加工を施すことも特に限定しない。
【００５８】
装着部１２０は、1本の線状の金属材料１２５よりなり、その両端部１２６，１２６を汚水受け部１１０の下端１１２に設けた穴部１１６，１１６に挿入して固定している。なお、図示した装着部１２０の個数は例示したものであり、この個数に限定するものではないが、安定した装着のためには、３個以上であることが望ましい。
【００５９】
また、装着部１２０の形状および構造は前記に限定するものではない。例えば、汚水受け部１１０と装着部１２０との連結方法や連結位置が異なっていてもよく、装着部１２０の線状の金属材料１２５が被覆されていてもよい。
【００６０】
素材について、汚水受け部１１０はシリコンとした。この他、エラストマー樹脂等の柔軟性を有し、比較的軽量な樹脂材料等が望ましい。また、ステンレス、アルミニウム等の金属材料でもかまわないが、その場合は手で曲げることができる程度の柔軟性を有するよう、厚さや形状を工夫する。装着部１２０の金属材料１２５はアルミニウムとした。この他、アルミ合金、ステンレス等、特に限定しない。
【００６１】
サイズは、汚水受け部１１０は  高さ２ｃｍ〜４ｃｍ程度、長さ３０ｃｍ〜５０ｃｍ程度、厚さ５ｍｍ〜８ｍｍ程度としたが、この例に限定するものではない。装着部１２０の線状の金属材料１２５は、直径２〜４ｍｍ程度、端部１２６−１２６の長さ１８ｃｍ〜２２ｃｍ程度としたが、この例に限定するものではない。
【００６２】
以上の構成よりなる汚水漏れ防止具２は、装着部１２０に線状の金属材料１２５を用いたことにより、曲げることができ、かつ曲げた形状を保持できるため、装着部１２０を便器本体３０の形状にあわせて変形して設置することが可能である。また、汚水受け部１１０が柔軟性を有することにより、汚水受け部１１０は曲げることができ、便器本体３０および便座４０の形状にあわせて変形することが可能である。
【００６３】
次に、汚水漏れ防止具２を腰掛式便器６に設置する方法を説明する。
まず、装着部１２０のうち、汚水受け部１１０付近の部分１２１を曲げた後、装着部１２０を便器本体３０の内側面３３に沿わせる。汚水受け部１１０の上端１１１は、平面視で前記便座外周縁４３より内側に位置し、かつ、側面視では少なくとも前記便器本体上端３２の高さより上側に位置するように、望ましくは便座内周縁４２の高さ以上に位置するようにして、装着部１２０のうち、便器本体内周縁３５に接する部分１２３を曲げる。装着部１２０が便器本体３０の上端３２および外側面３４に沿うようにして、便器本体外周縁３６に接する部分１２４を曲げる。
【００６４】
この状態において、汚水受け部１１０の下端１１２は、平面視で便器本体３０の内周縁３５より内側に位置し、側面視で便器本体上端３２より下側の高さに位置することを確認し、不適切な場合は、装着部１２０の曲げ方で調節する。
複数の装着部１２０を同様に曲げて設置した後、便座４０を便器本体３０の上に載置し、汚水受け部１１０が汚水を受ける適切な傾きおよび位置になるよう、装着部１２０の曲げ方を微調整して、設置は終了である。
【００６５】
なお、汚水受け部１１０と便器本体３０との間には、装着部１２０が存在することによって、汚水排水用の間隙部２２が形成されている。汚水排出促進のために間隙部２２を広くするよう、装着部１２０の曲げ方を調節することも可能である。
【００６６】
汚水受け部１１０の位置については、図８に示した例に限定するものではない。例えば、図８における腰掛式便器６において、汚水受け部１１０の上端１１１が便器本体３０の上端３２とほぼ同じ位置に設置した場合、汚水が隙間７から直接とび出す方向に飛ぶ場合は汚水漏れの恐れがあるが、便器本体３０の内周縁３５から内側面３３にあたる汚水が原因の伝い漏れは、間隙部２２があることによって、充分防止可能である。よって、汚水受け部１１０の細かい位置調節ができなかった場合でも、汚水漏れ防止具２は一定以上の効果を有する。
【００６７】
また、伝い漏れに効果的である点は、例えば介護用ポータブルトイレに応用することもできる。ポータブルトイレにおいては、汚水漏れ防止のために便器本体上端３２が凹状に形成されていることが多いが、そこに汚水が溜まることはあるため、本実施例を利用して伝い漏れを防止することは有用である。
【００６８】
図９は、便器本体３０の形状および大きさ、および便器本体３０と便座４０との隙間７の高さが図８と異なっており、便座裏面４１が平面状である例を示している。
【００６９】
装着部１２０は変形自在な線状の金属材料１２５よりなるため、装着部１２０は便器本体上端３２および内側面３３および外側面３４の形状に沿うよう変形でき、安定して取り付けることが可能であり、また、装着部１２０は便器本体３０と便座４０との隙間７の形状や大きさに応じて曲げて調節することが可能である。
【００７０】
また、汚水受け部１１０が柔軟性を有するため、便器本体３０の内周縁３５の大きさおよび形状が異なっていても、それに応じて汚水受け部１１０は曲げることができる。
【００７１】
このように、本実施例においては、前述した実施例１に比べ、様々な便器本体および便座の形状に応じて、汚水漏れ防止具２を設置することが可能である。
【００７２】
図１１、１２は、腰掛式便器６の前端部において、便器本体内周縁３５が、便座内周縁４２よりやや内側に位置する場合の設置例を示している。このような例は、便器本体内周縁３５が小さいタイプの腰掛式便器６において、便座４０のみを局部洗浄機能付き便座等に交換した場合にみられることが多い。本来であれば、腰掛式便器６の前端部において、便器本体内周縁３５は便座内周縁４２よりやや外側に位置するように、適切な組み合わせであることが望ましいが、やむを得ない場合は汚水漏れ防止具２を用いることもできる。
【００７３】
図１１では、汚水受け部上端１１１が便座上面４５の高さよりやや低い程度の高さで、便器本体内周縁３５よりやや内側に位置するよう、間隙部１２２を設けて設置している。上述してきた設置例に比べて、汚水受け部１１０が腰掛式便器使用者に近く、見えやすい位置にあるため、精神的にはやや負担であるが、汚水は汚水受け部内側面１１３および外側面１１４から効率よく流れ落ちることができる。便座裏面４１に汚水が付着することもほとんどなく、清掃が容易である。
【００７４】
図１２は、図１１において、汚水受け部１１０の傾きおよび位置を変えた設置例である。図１１に比べて、汚水受け部１１０の傾き等の関係上、やや汚水が使用者に跳ね返りやすくなるが、汚水が直接隙間７から漏れることは防止でき、汚水受け部１１０の位置も便座４０の下方でやや見えにくくすることができる。
【００７５】
上述してきた例に限らず、腰掛式便器６の形状や、使用者の状況にあわせて、汚水漏れ防止具２を設置し、使用することが可能である。
本実施例は、前記実施例１の効果に加えて、既存の多様な腰掛式便器６に使用することが可能であるため、便器本体３０と便座４０との隙間７の形状との不適合を心配することなく、汚水漏れ防止具２を導入でき、汚水漏れの問題を早期に解決することができる。構造も単純であり、安価に提供することが可能である。
【実施例３】
【００７６】
本発明の実施の形態を図１３、１４により説明する。なお、実施例１、２と共通する構成要素については同一符号を付し、その説明は省略する。
図１３は本発明の実施の形態を、便座を起立させた状態で示す平面図、図１４は、図１３Ｃ−Ｃ線における矢視断面図を、便座を便器本体に載置した状態で示している。
【００７７】
汚水漏れ防止具３は、汚水漏れ防止具２において、汚水受け部１１０のＣ型部１１５の下方に、線状の金属材料１１８を汚水受け部１１０の長辺方向に向かって埋設した例である。なお、線状の金属材料１１８の両端は汚水受け部１１０から出ないように埋設している。
【００７８】
線状の金属材料１１８は、直径２ｍｍ〜４ｍｍ程度のアルミニウムとした。この他、アルミ合金、ステンレス等、特に限定しない。また、線状の金属材料１１８の本数や埋設する位置は前記に限定するものではない。
【００７９】
以上の構成よりなる汚水漏れ防止具３は、汚水受け部１１０に線状の金属材料１１８を埋設したことにより、汚水受け部１１０を便器本体３０および便座４０の形状に応じて、曲げることができ、かつ、その形状を保持することができる。そのため、汚水受け部１１０の位置も適切に保持されやすくなり、望ましい。また、清掃等で汚水漏れ防止具３を取り外した後、再度取り付けることも簡便に可能である。
【実施例４】
【００８０】
本発明の実施の形態を図１５により説明する。なお、実施例１、２と共通する構成要素については同一符号を付し、その説明は省略する。
【００８１】
図１５に示す汚水漏れ防止具４は、汚水漏れ防止具２において、汚水受け部１１０の穴部１１６をあらかじめ多数設け、装着部１２０を着脱可能に構成している。そのため、汚水受け部１１０の適切な穴部１１６を選んで装着部１２０を挿入することにより、装着部１２０の位置調節が可能である。
【００８２】
以上の構成よりなる汚水漏れ防止具４は、例えば、便座脚部４４と装着部１２０が接触しないように、装着部１２０の位置を調節して便器本体３０に取り付けることができ、安定した設置が可能となる。
【００８３】
また、図１６は、汚水漏れ防止具４を便座４０がＵ型である場合に応用した例を示す斜視図である。本実施例において、汚水受け部１１０の柔軟性を有する材料１１７はシリコンとしており、Ｕ型開口部４６にあう長さに切断した汚水受け部１１０に装着部１２０を連結して便器本体３０に取り付けている。
【００８４】
なお、汚水受け部上端１１１は便座内周縁４２よりやや高い位置にしているが、この例に限定するものではない。この他、Ｕ型開口部４６の側方の便座４０の下方にも汚水漏れ防止具４を設置してもよいし、Ｕ型開口部４６に関係なく、Ｏ型便座の場合と同様な設置をすることもできる。
【００８５】
このように、本実施例においては、装着部１２０の位置調節が可能であり、また、汚水受け部１１０の材料１１７を切断が容易な素材とすることにより、腰掛式便器６の形状や使用者の都合にあわせて、汚水漏れ防止具４を容易に加工することができ、簡便に汚水漏れを防止することができる。汚水漏れ防止具４は単純な構造で安価に提供可能であるので、加工することへの精神的負担も少なく、利便性が高い。
【実施例５】
【００８６】
本発明の実施の形態を図１７、１８により説明する。なお、実施例１乃至４と共通する構成要素については同一符号を付し、その説明は省略する。
図１７は、本発明による汚水漏れ防止具５を示す斜視図、図１８は、図Ｄ−Ｄ線における矢視断面図を便器本体および便座とともに示している。
【００８７】
汚水漏れ防止具５は、便器本体３０に着脱可能に取り付けできる装着部２２０およびその装着部２２０に連接する汚水受け部１１０とからなる。なお、図示した装着部２２０の個数は例示したものであり、この個数に限定するものではない。
【００８８】
汚水受け部１１０は、実施例３に準じ、線状の金属材料１１８を埋設しているが、穴部１１６は形成していない構造である。
【００８９】
装着部２２０は、クリップ部２２１および変形部２２３よりなる。変形部２２３は、線状の金属材料１２５を樹脂材料１２７で被覆した部材よりなり、一方の端部２２４には保護キャップ２２５を装着し、他端部２２６はクリップ部２２１に固定している。
クリップ部２２１は内側に凹凸部２２２を有しており、汚水受け部１１０の一部１１９をクリップ部２２１に挟んで保持した際、凹凸部２２２がすべりどめの機能を有するようになっている。
【００９０】
なお、図示した装着部２２０の個数は例示したものであり、この個数に限定するものではないが、安定した装着のためには、３個以上であることが望ましい。また、図示した装着部２２０が保持する汚水受け部１１０の一部１１９は例示したものであり、この位置に限定するものではない。また、装着部２２０が汚水受け部１１０を保持する方法は前記に限定するものではなく、他の方法でもよい。
【００９１】
素材について、汚水受け部１１０の金属材料１１８、および装着部２２０の変形部２２３の金属材料２２８はアルミニウムとした。この他、アルミ合金、ステンレス等、比較的軽量で、さびにくいものが望ましい。変形部２２３の樹脂材料２２７は、シリコンとした。この他、エラストマー樹脂等、柔軟性を有し、比較的軽量である材料が望ましい。
【００９２】
サイズは、装着部２２０の変形部２２３の線状の金属材料２２８は直径２ｍｍ〜４ｍｍ程度、樹脂材料２２７を含めた変形部２２３の直径は３ｍｍ〜８ｍｍ程度、変形部２２３の長さ１８ｃｍ〜２２ｃｍ程度としたが、この例に限定するものではない。クリップ部２２１は高さ２ｃｍ〜４ｃｍ程度、長さ２ｃｍ〜３ｃｍ程度としたが、この例に限定するものではない。
【００９３】
次に、汚水漏れ防止具５を腰掛式便器６に設置する方法を説明する。
まず、汚水受け部１１０を便器本体３０の内周縁３５に概ね沿う形状に曲げて変形した後に、装着部２２０のクリップ部２２１に汚水受け部１１０の一部１１９を挟んで保持する。
【００９４】
装着部２２０の変形部２２３は、便器本体３０に沿うように変形して使用する。変形部２２３のうち、クリップ部２２１付近の部分２３１を曲げた後、変形部２２３を便器本体３０の内側面３３に沿わせる。
汚水受け部１１０の上端１１１が、平面視で前記便座外周縁４３より内側に位置し、かつ、側面視で少なくとも前記便器本体上端３２の高さより上側に位置するように、望ましくは便座内周縁４２の高さ以上に位置するようにして、変形部２２３のうち、便器本体内周縁３５に接する部分２３２を曲げる。変形部２２３が便器本体３０の上端３２および外側面３４に沿うようにして、便器本体外周縁３６に接する部分２３３を曲げる。
【００９５】
汚水受け部１１０の下端１１２の位置の確認、汚水受け部１１０の傾きおよび位置調整および間隙部２２の広さの調整については、実施例２の装着部１２０と同様に可能である。
【００９６】
なお、図１７，１８では、変形部２２３のうち、符号２３３で示す部分から端部２２４までの部分も便器本体３０に沿うように曲げて、安定するよう設置しているが、この形状に限定するものではなく、自由に設置可能である。
【００９７】
以上の構成よりなる汚水漏れ防止具５は、汚水受け部１１０が柔軟性を有する樹脂材料１１７を主体とし、線状の金属材料１１８を用いていることにより、汚水受け部１１０を変形可能で、かつ、その形状を保持可能であり、また、装着部２２０とは着脱可能に形成されているため、便器本体３０および便座４０の形状に応じて汚水受け部１１０の形状を調節することが容易である。
【００９８】
装着部２２０はクリップ部２２１で汚水受け部１１０の一部１１９を保持するため、装着部２２０の位置の調節が自由に可能である。また、装着部２２０を汚水受け部１１０から外して、それぞれを洗うことも容易である。
【００９９】
変形部２２３は樹脂材料２２７で被覆されているため、金属材料２２８のみの場合に比べ、便器本体３０を傷つけることなく、外観にすぐれ、汚れても清掃しやすく、かつ、変形の自由度は保持されている。樹脂材料２２７の素材や表面の形状によって、すべりどめ機能を付加することもでき、汚水漏れ防止具５をさらに安定して設置することもできる。
【産業上の利用可能性】
【０１００】
本発明による汚水漏れ防止具は、製造についてはトイレ用品産業、販売についてはトイレ用品および介護用品および幼児向け用品等を扱う産業において利用可能性がある。
【符号の説明】
【０１０１】
１…汚水漏れ防止具、２…汚水漏れ防止具、３…汚水漏れ防止具、４…汚水漏れ防止具、５…汚水漏れ防止具、６…腰掛式便器、７…隙間、１０…汚水受け部、１１…上端、１２…下端、１３…内側面、１４…外側面、１５…Ｃ型部、２０…装着部、２１…連結部、２２…間隙部、２３…便器装着部、３０…便器本体、３１…便器開口部、３２…上端、３３…内側面、３４…外側面、３５…内周縁、３６…外周縁、４０…便座、４１…便座裏面、４２…内周縁、４３…外周縁、４４…脚部、４５…上面、４６…Ｕ型開口部、１１０…汚水受け部、１１１…上端、１１２…下端、１１３…内側面、１１４…外側面、１１５…Ｃ型部、１１６…穴部、１１７…材料、１１８…金属材料、１１９…一部、１２０…装着部、１２１…部分、１２２…間隙部、１２３…部分、１２４…部分、１２５…金属材料、１２６…端部、２２０…装着部、２２１…クリップ部、２２２…凹凸部、２２３…変形部、２２４…端部、２２５…保護キャップ、２２６…端部、２２７…樹脂材料、２２８…金属材料、２３１…部分、２３２…部分、２３３…部分
【図１】
2011234767.tif 000003
【図２】
2011234767.tif 000004
【図３】
2011234767.tif 000005
【図４】
2011234767.tif 000006
【図５】
2011234767.tif 000007
【図６】
2011234767.tif 000008
【図７】
2011234767.tif 000009
【図８】
2011234767.tif 000010
【図９】
2011234767.tif 000011
【図１０】
2011234767.tif 000012
【図１１】
2011234767.tif 000013
【図１２】
2011234767.tif 000014
【図１３】
2011234767.tif 000015
【図１４】
2011234767.tif 000016
【図１５】
2011234767.tif 000017
【図１６】
2011234767.tif 000018
【図１７】
2011234767.tif 000019
【図１８】
2011234767.tif 000020
【手続補正書】
【提出日】平成22年8月25日(2010.8.25)
【手続補正１】
【補正対象書類名】特許請求の範囲
【補正対象項目名】全文
【補正方法】変更
【補正の内容】
【特許請求の範囲】
【請求項１】
腰掛式便器の便器本体と便座との隙間からの汚水の漏れを防止する汚水漏れ防止具であって、前記汚水漏れ防止具は、汚水を受ける帯状の汚水受け部および前記汚水受け部を前記便器本体に着脱可能に取り付ける装着部よりなり、
前記汚水受け部の上端は、平面視で前記便器本体外周縁より内側に位置し、かつ、側面視で前記便器本体上端の高さより上側に位置しており、前記汚水受け部の下端は、平面視で前記便器本体内周縁より内側に位置し、かつ、側面視で前記便器本体上端の高さより下側に位置するとともに、
前記装着部は前記汚水受け部の一部を保持して、前記汚水受け部と前記便器本体との間に汚水排出用の間隙部を形成することを特徴とする汚水漏れ防止具であって、
汚水は、前記汚水受け部の内側面を流れて前記便器本体の開口部内へ流れ落ちるだけでなく、前記汚水受け部上端を超えるように伝わる汚水も、前記汚水受け部の外側面を流れ、前記間隙部から前記便器本体の開口部内へ流れ落ちることを特徴とする汚水漏れ防止具。
【請求項２】
前記装着部の一部または全部に線状の金属材料を用いることを特徴とする請求項１に記載の汚水漏れ防止具。

【手続補正２】
【補正対象書類名】明細書
【補正対象項目名】００１７
【補正方法】変更
【補正の内容】
【００１７】
前述の課題を解決するために、次のような汚水漏れ防止具を発明した。
請求項１の汚水漏れ防止具においては、腰掛式便器の便器本体と便座との隙間からの汚水の漏れを防止する汚水漏れ防止具であって、前記汚水漏れ防止具は、汚水を受ける帯状の汚水受け部および前記汚水受け部を前記便器本体に着脱可能に取り付ける装着部よりなり、
前記汚水受け部の上端は、平面視で前記便器本体外周縁より内側に位置し、かつ、側面視で前記便器本体上端の高さより上側に位置しており、前記汚水受け部の下端は、平面視で前記便器本体内周縁より内側に位置し、かつ、側面視で前記便器本体上端の高さより下側に位置するとともに、
前記装着部は前記汚水受け部の一部を保持して、前記汚水受け部と前記便器本体との間に汚水排出用の間隙部を形成することを特徴とする汚水漏れ防止具であって、
汚水は、前記汚水受け部の内側面を流れて前記便器本体の開口部内へ流れ落ちるだけでなく、前記汚水受け部上端を超えるように伝わる汚水も、前記汚水受け部の外側面を流れ、前記間隙部から前記便器本体の開口部内へ流れ落ちることを特徴とする汚水漏れ防止具である。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】変更
【補正の内容】
【００２０】
請求項２の汚水漏れ防止具においては、前記装着部の一部または全部に線状の金属材料を用いることを特徴とする請求項１に記載の汚水漏れ防止具である。
【手続補正６】
【補正対象書類名】明細書
【補正対象項目名】００２５
【補正方法】変更
【補正の内容】
【００２５】
前記装着部は前記汚水受け部の一部を保持して、前記汚水受け部と前記便器本体との間に汚水排出用の間隙部を形成することにより、汚水は、前記汚水受け部の内側面を流れて前記便器本体の開口部内へ流れ落ちるだけでなく、前記汚水受け部上端を超えるように伝わる汚水も、前記汚水受け部の外側面を流れ、前記間隙部から前記便器本体の開口部内へ流れ落ちるため、前記便器本体と便座との隙間からの汚水漏れを防止できる。

【手続補正７】
【補正対象書類名】明細書
【補正対象項目名】００２６
【補正方法】変更
【補正の内容】
【００２６】
前記装着部は前記汚水受け部の一部を保持して、前記汚水受け部と前記便器本体との間に汚水排出用の間隙部を形成することにより、前記汚水漏れ防止具を前記便器本体に取り付けたまま、立位排尿が可能であり、前記汚水受け部に尿があたった場合であっても、尿は前記間隙部から前記便器本体開口部内に流れ落ちるため、前記汚水漏れ防止具を設置したことによる前記便器本体外側面への伝い漏れが生じることはない。
【手続補正８】
【補正対象書類名】明細書
【補正対象項目名】００２７
【補正方法】変更
【補正の内容】
【００２７】
前記汚水受け部の上端は、平面視で前記便器本体外周縁より内側に位置し、かつ、側面視で前記便器本体上端の高さより上側に位置しており、前記汚水受け部の下端は、平面視で前記便器本体内周縁より内側に位置し、かつ、側面視で前記便器本体上端の高さより下側に位置するとともに、
前記装着部は前記汚水受け部の一部を保持して、前記汚水受け部と前記便器本体との間に汚水排出用の間隙部を形成することを特徴とする汚水漏れ防止具であって、
汚水は、前記汚水受け部の内側面を流れて前記便器本体の開口部内へ流れ落ちるだけでなく、前記汚水受け部上端を超えるように伝わる汚水も、前記汚水受け部の外側面を流れ、前記間隙部から前記便器本体の開口部内へ流れ落ちることにより、前記汚水漏れ防止具を前記便器本体に取り付ける際の適応範囲は広く、作業が容易となり、かつ、汚水漏れを防止できる。
【手続補正９】
【補正対象書類名】明細書
【補正対象項目名】００２８
【補正方法】削除
【補正の内容】
【手続補正１０】
【補正対象書類名】明細書
【補正対象項目名】００２９
【補正方法】削除
【補正の内容】
【手続補正１１】
【補正対象書類名】明細書
【補正対象項目名】００３０
【補正方法】変更
【補正の内容】
【００３０】
請求項２の汚水漏れ防止具においては、前記装着部の一部または全部を線状の金属材料で形成することにより、前記装着部は曲げることができ、かつ、曲げた形状を保持できるため、装着部を便器本体の形状にあわせて変形可能であり、安定して取り付けることができる。
【手続補正１２】
【補正対象書類名】明細書
【補正対象項目名】００３９
【補正方法】変更
【補正の内容】
【００３９】
汚水受け部１０は帯状の部材を円弧状に曲げてなり、その上端１１付近には、汚水受け部１０の内側面１３が凹状となるよう形成したＣ型部１５を設けている。汚水受け部１０の上端１１は、平面視で便器本体３０の外周縁３６と便座４０の内周縁４２の間に位置し、かつ、側面視で便座４０の内周縁４２の高さ以上に位置している。
【手続補正１３】
【補正対象書類名】明細書
【補正対象項目名】００６３
【補正方法】変更
【補正の内容】
【００６３】
次に、汚水漏れ防止具２を腰掛式便器６に設置する方法を説明する。
まず、装着部１２０のうち、汚水受け部１１０付近の部分１２１を曲げた後、装着部１２０を便器本体３０の内側面３３に沿わせる。汚水受け部１１０の上端１１１は、平面視で前記便器本体外周縁３６より内側に位置し、かつ、側面視では少なくとも前記便器本体上端３２の高さより上側に位置するように、望ましくは便座内周縁４２の高さ以上に位置するようにして、装着部１２０のうち、便器本体内周縁３５に接する部分１２３を曲げる。装着部１２０が便器本体３０の上端３２および外側面３４に沿うようにして、便器本体外周縁３６に接する部分１２４を曲げる。
【手続補正１４】
【補正対象書類名】明細書
【補正対象項目名】００９４
【補正方法】変更
【補正の内容】
【００９４】
装着部２２０の変形部２２３は、便器本体３０に沿うように変形して使用する。変形部２２３のうち、クリップ部２２１付近の部分２３１を曲げた後、変形部２２３を便器本体３０の内側面３３に沿わせる。
汚水受け部１１０の上端１１１が、平面視で前記便器本体外周縁３６より内側に位置し、かつ、側面視で少なくとも前記便器本体上端３２の高さより上側に位置するように、望ましくは便座内周縁４２の高さ以上に位置するようにして、変形部２２３のうち、便器本体内周縁３５に接する部分２３２を曲げる。変形部２２３が便器本体３０の上端３２および外側面３４に沿うようにして、便器本体外周縁３６に接する部分２３３を曲げる。